(57)【要約】【課題】複数の調子を一つの竿で実現することができるとともに、一連の釣動作の中で竿の調子を変更することができる釣竿を提供する。【解決手段】竿杆１Ｂの軸方向竿先側に設けられた第一領域５１と、竿杆１Ｂの軸方向竿元側に設けられた第二領域５２と、を備えている。第一領域５１は、竿杆１Ｂの軸心Ｏ１に直交する第一方向Ｙに撓みやすく、第二領域５２は、少なくとも第一方向Ｙと異なる方向であって竿杆１Ｂの軸心Ｏ１に直交する第二方向Ｘに撓みやすい。【選択図】図２
2018050561.tif 000002
【特許請求の範囲】
【請求項１】
竿杆の軸方向竿先側に設けられた第一領域と、前記竿杆の軸方向竿元側に設けられた第二領域と、を備え、
前記第一領域は、前記竿杆の軸心に直交する第一方向に撓みやすく、
前記第二領域は、少なくとも前記第一方向と異なる方向であって前記竿杆の軸心に直交する第二方向に撓みやすいことを特徴とする釣竿。
【請求項２】
前記第一領域および前記第二領域の少なくとも一方の領域は、前記竿杆に複数設けられていることを特徴とする請求項１に記載の釣竿。
【請求項３】
前記第一領域における前記竿杆の形状は、前記第一方向に扁平しており、
前記第二領域における前記竿杆の形状は、前記第二方向に扁平していることを特徴とする請求項１または請求項２に記載の釣竿。
【請求項４】
前記第一領域における前記竿杆の厚みは、前記第一方向に薄肉になっており、
前記第二領域における前記竿杆の厚みは、前記第二方向に薄肉になっていることを特徴とする請求項１から請求項３のいずれか１項に記載の釣竿。
【請求項５】
前記第一領域において前記第一方向に直交する部分には、第一リブが突設されており、
前記第二領域において前記第二方向に直交する部分には、第二リブが突設されていることを特徴とする請求項１から請求項４のいずれか１項に記載の釣竿。
【発明の詳細な説明】
【技術分野】
【０００１】
本発明は、釣竿に関するものである。
【背景技術】
【０００２】
一般に、釣竿は、魚の種類や釣り方などに応じて種々のものが使い分けされている。例えば、先調子と称される釣竿は、竿先側が撓むように設計されており、竿先の微妙な動きを検知することができる。これにより、先調子の釣竿は、魚の当たりが取りやすく、合わせのタイミングを計りやすい等の利点がある。
また、胴調子と称される釣竿は、竿元側が撓むように設計されており、釣針にかかった魚が暴れることによる振動を竿元側の竿杆で効果的に吸収することができる。これにより、胴調子の釣竿は、口切れの多い魚を釣る場合等に有効である。
【０００３】
ところで、釣竿の調子は、釣竿を構成する竿杆の材料や、外径、テーパの大小等によって製造時に設定される。設定される調子は、その釣竿固有の調子として設定される。釣人は、竿の調子を釣り場の環境に合わせて使い分けることで釣果を伸ばしており、特に、釣り競技においては、複数の竿を準備しておくことが一般的である。
なお、釣竿の竿先側の調子を変更できる釣竿として特許文献１に記載されたものが知られている。この釣竿では、穂先部分の交換が可能に構成されており、調子の異なる替え穂先を複数本準備しておき、所望の替え穂先を選択して使用することができる。
【先行技術文献】
【特許文献】
【０００４】
【特許文献１】特開２００１−１６１２２２号公報
【発明の概要】
【発明が解決しようとする課題】
【０００５】
前記したように、釣竿に設定される調子は、その釣竿固有の調子として設定されるものであり、例えば、先調子に設定されたものを胴調子に設定変更することは不可能であった。また、先調子と同調子とは、相反する調子であるため、一つの釣竿で複数の調子を実現することはきわめて困難であった。
【０００６】
この点、特許文献１の釣竿は、替え穂先を事前に交換することで竿を所望の調子に設定することが可能であるが、一連の釣動作（仕掛けを投げる、当たりを取る、魚を取り込む）の中で竿の調子を変更することはできなかった。
【０００７】
本発明は、前記課題を解決するためになされたものであり、複数の調子を一つの竿で実現することができるとともに、一連の釣動作の中で竿の調子を変更することができる釣竿を提供することを目的とする。
【課題を解決するための手段】
【０００８】
前記目的を達成するために本発明の釣竿は、竿杆の軸方向竿先側に設けられた第一領域と、前記竿杆の軸方向竿元側に設けられた第二領域と、を備えている。前記第一領域は、前記竿杆の軸心に直交する第一方向に撓みやすい。また、前記第二領域は、少なくとも前記第一方向と異なる方向であって前記竿杆の軸心に直交する第二方向に撓みやすい。
【０００９】
この釣竿では、第一領域が第一方向に撓み、第二領域が第一方向とは異なる第二方向に撓むようになっており、第一領域と第二領域とで撓む方向が相互に異なる構成となっている。これにより、例えば、魚の当たりを待っている際に釣糸を垂らしている方向に、第一領域の第一方向が向くように竿杆を保持することで、竿先側の第一領域が主として撓む先調子の釣竿とすることができる。これにより、魚の当たりを好適にとることが可能となる。また、例えば、魚が掛かった際に釣糸を垂らしている方向に、第二領域の第二方向が向くように竿杆を保持することで、竿元側の第二領域が主として撓む胴調子の釣竿とすることができる。これにより、魚が暴れることによる振動を効果的に吸収することが可能となる。つまり、第一領域が撓みやすい状態になるように釣竿を保持し、または、第二領域が撓みやすい状態になるように釣竿を保持することによって、釣竿の曲げ剛性を変えることができ、一連の釣動作の中（仕掛けを投げる、当たりを取る、魚を取り込む）で竿の調子を変更することができる。
なお、第一領域の第一方向と第二領域の第二方向とは、撓む方向が相互に異なっているので、第一領域が第一方向に撓んでいる際には、第二領域が第二方向に撓みにくい。また、同様に、第二領域が第二方向に撓んでいる際には、第一領域が第一方向に撓みにくい。
【００１０】
また、前記した釣竿において、前記第一領域および前記第二領域の少なくとも一方の領域は、前記竿杆に複数設けられているのがよい。このようにすることで、複数箇所にて同じように撓ませることが可能となり、より細かな調子の設定が可能となる。
【００１１】
また、前記した釣竿において、前記第一領域における前記竿杆の形状は、前記第一方向に扁平しており、前記第二領域における前記竿杆の形状は、前記第二方向に扁平しているのがよい。このように、竿杆を扁平な形状にするという簡単な構成で竿杆に撓みの方向性を持たせることができる。
【００１２】
また、前記した釣竿において、前記第一領域における前記竿杆の厚みは、前記第一方向に薄肉になっており、前記第二領域における前記竿杆の厚みは、前記第二方向に薄肉になっているのがよい。このように、第一方向または第二方向に竿杆の厚みを薄肉にするという簡単な構成で、竿杆に撓みの方向性を持たせることができる。
【００１３】
また、前記した釣竿において、前記第一領域において前記第一方向に直交する部分には、第一リブが突設されており、前記第二領域において前記第二方向に直交する部分には、第二リブが突設されているのがよい。このように、所定の部分に第一リブおよび第二リブを突設するという簡単な構成で、竿杆に撓みの方向性を持たせることができる。
【発明の効果】
【００１４】
本発明によれば、複数の調子を一つの竿で実現することができるとともに、一連の釣動作の中で竿の調子を変更することができる釣竿が得られる。
【図面の簡単な説明】
【００１５】
【図１】本発明の第一実施形態に係る釣竿を示す全体図である。
【図２】（ａ）は釣竿の要部を示す側面図（一部断面）であり、（ｂ）は図２（ａ）のＡ−Ａ線に沿う拡大断面図であり、（ｃ）は図２（ａ）のＢ−Ｂ線に沿う拡大断面図である。
【図３】本発明の第二実施形態に係る釣竿の要部を示す図であり、（ａ）は図２（ｂ）に相当する第一例の断面図であり、（ｂ）は図２（ｃ）に相当する第一例の断面図である。（ｃ）は図２（ｂ）に相当する第二例の断面図であり、（ｄ）は図２（ｃ）に相当する第二例の断面図である。（ｅ）は図２（ｂ）に相当する第三例の断面図であり、（ｆ）は図２（ｃ）に相当する第三例の断面図である。（ｇ）は図２（ｂ）に相当する第四例の断面図であり、（ｈ）は図２（ｃ）に相当する第四例の断面図である。
【図４】本発明の第三実施形態に係る釣竿の要部を示す図であり、（ａ）は図２（ｂ）に相当する第一例の断面図であり、（ｂ）は図２（ｃ）に相当する第一例の断面図である。（ｃ）は図２（ｂ）に相当する第二例の断面図であり、（ｄ）は図２（ｃ）に相当する第二例の断面図である。
【図５】本発明の第四実施形態に係る釣竿の要部を示す図であり、（ａ）は図２（ｂ）に相当する第一例の断面図であり、（ｂ）は図２（ｃ）に相当する第一例の断面図である。（ｃ）は図２（ｂ）に相当する第二例の断面図であり、（ｄ）は図２（ｃ）に相当する第二例の断面図である。
【図６】本発明の第五実施形態に係る釣竿の要部を示す図であり、（ａ）は図２（ｂ）に相当する第一例の断面図であり、（ｂ）は図２（ｃ）に相当する第一例の断面図である。（ｃ）は図２（ｂ）に相当する第二例の断面図であり、（ｄ）は図２（ｃ）に相当する第二例の断面図である。
【図７】本発明の第六実施形態に係る釣竿を示す要部の側面図である。
【発明を実施するための形態】
【００１６】
以下、本発明の実施形態の釣竿について、図面を参照して説明する。以下の説明において、「前」側は、竿先側（穂先側）を言い、「後」側は、竿元（竿尻側）側を言う。なお、実施形態や実施形態の各例において、同一の部分には同一の符号を付し、重複する説明は省略する。
【００１７】
（第一実施形態）
図１に示すように、釣竿は、複数の竿杆１，２を継合する構成となっている。竿杆１，２は、複数の釣糸ガイド３を備える。各釣糸ガイド３は、図示しない釣糸をガイドするとともに，竿杆１，２の外周面に釣糸が付着するのを防止する。各釣糸ガイド３は、釣竿の穂先に向けて所定間隔をおいて竿杆１，２の外周面に設けられている。なお、釣竿は、竿杆１，２を継合させたものに限らず、三本以上の竿杆を継合させたものでもよく、また、一本竿でもよい。なお、竿杆２の竿元側には、魚釣用リールＲが装着されるリールシート２ａが設けられている。
【００１８】
竿杆１は、中空体と中実体とからなる。竿杆１は、図２（ａ）に示すように、中空状とされた竿杆（穂持竿）１Ａの先端に、継合部４を介して中実状の竿杆（穂先竿）１Ｂが継合された構造となっている。
竿杆１Ａは、例えば、カーボン繊維、ガラス繊維等の強化繊維を引き揃え、これに合成樹脂を含浸した、いわゆるプリプレグを巻回することで構成される。なお、竿杆１Ａの先端には、空洞状の管状部４ａが形成されている。管状部４ａは、竿杆１Ｂの基端部５３が継合される継合部４を構成している。管状部４ａの先端部は、開口端に向けて拡径されている。
【００１９】
竿杆１Ｂは、基端部５３を介して竿杆１Ａの先端（継合部４）に継合される。竿杆１Ｂは、例えば、カーボン繊維、ガラス繊維等の強化繊維を引き揃え、これに合成樹脂を含浸した中実ソリッドにて形成されている。なお、竿杆１Ｂは、超弾性合金等で形成してもよい。竿杆１Ｂは、元部５５と先部５６と中間部５７とが断面円形状を呈しており、元部５５から先部５６に向けてテーパ状に漸次縮径されている。
【００２０】
竿杆１Ｂは、元部５５と先部５６との間に、断面略扁平に形成された２つの領域５１，５２を備えている。このうち、第一領域５１は、竿杆１Ｂの先部５６側（竿杆１Ｂの軸方向竿先側）において、先部５６と中間部５７との間に形成されている。第一領域５１は、図２（ａ）（ｂ）に示すように、上下の外周面が平らに面取りされている。これにより、第一領域５１は、上面５１ａと下面５１ｂとが平らに形成され、上下方向に略扁平な形状となっている。つまり、第一領域５１における竿杆１Ｂの厚みは、左右方向に比べて上下方向が薄肉となっている。これにより、第一領域５１は、竿杆１Ｂの軸心Ｏ１に直交する上下方向Ｙ（以下、「第一方向Ｙ」という。）に撓みやすくなっている。
【００２１】
一方、第二領域５２は、図２（ａ）（ｃ）に示すように、左右の外周面が平らに面取りされている。これにより、第二領域５２は、左面５２ａと右面５２ｂとが平らに形成され、左右方向に略扁平な形状となっている。つまり、第二領域５２における竿杆１Ｂの厚みは、上下方向に比べて左右方向が薄肉となっている。これにより、第二領域５２は、第一方向Ｙに直交し、竿杆１Ｂの軸心Ｏ１に直交する左右方向Ｘ（以下、「第二方向Ｘ」という。）に撓みやすくなっている。
【００２２】
つまり、釣竿は、第一領域５１が第一方向Ｙに撓みやすく、第二領域５２が第一方向Ｙとは異なる第二方向Ｘに撓みやすくなっている。これにより、第一領域５１と第二領域５２とでは、撓む方向が相互に異なる方向となっている。第一領域５１の第一方向Ｙと第二領域５２の第二方向Ｘとは、竿杆１Ｂの軸心Ｏ１方向から見て、竿杆１Ｂ周りに約９０度異なる方向となっている。
なお、第一領域５１の前後端部および第二領域５２の前後端部は、図２（ａ）に示すように、アール状の面取り５８が施されている。
【００２３】
なお、竿杆２は、竿杆１Ａと同様に、例えば、カーボン繊維、ガラス繊維等の強化繊維を引き揃え、これに合成樹脂を含浸した、いわゆるプリプレグを巻回することで構成されている。
【００２４】
次に、本実施形態の釣竿の作用について説明する。
例えば、船釣り等において、仕掛けを投じて魚の当たりを待っている場合には、釣糸を垂らしている上下方向に、竿先側となる第一領域５１の第一方向Ｙが向くように釣竿を保持する。つまり、第一領域５１の上面５１ａを上方へ向け、下面５１ｂを下方（海面）へ向けた姿勢で釣竿を持つ。これにより、竿先側（第一領域５１）が上下方向に撓みやすくされた先調子の釣竿として使用することができる。したがって、魚の当たりが取りやすく、合わせのタイミングを図りやすい。これにより、魚信を合わせるという楽しみが味わえる。
【００２５】
その後、釣針に魚が掛かったら、釣糸を垂らしている上下方向に、竿元側となる第二領域５２の第二方向Ｘが向くように釣竿を９０度軸心Ｏ１周りに回転させて保持する。つまり、第二領域５２の左面５２ａを上方へ向け、右面５２ｂを下方（海面）へ向けた姿勢で釣竿を持つ。これにより、竿元側（第二領域５２）が上下方向に撓みやすくされた胴調子の釣竿として使用することができる。したがって、釣針にかかった魚が暴れることによる振動を竿元側で効果的に吸収することができる。また、胴にのせて魚を釣り上げることができるので、腕に魚の引きや重みが直接伝わり、釣り応えがある。
【００２６】
以上、実施形態の釣竿によれば、第一領域５１が第一方向Ｙに撓み、第二領域５２が第一方向Ｙとは異なる第二方向Ｘに撓むようになっており、第一領域５１と第二領域５２とで撓む方向が相互に異なる構成となっている。これにより、竿先側の第一領域５１が主として撓む先調子の繊細な釣竿として用いることができるとともに、竿元側の第二領域５２が主として撓む胴調子の魚をばらし難い釣竿として用いることができる。つまり、第一領域５１が撓みやすい状態になるように釣竿を保持し、または、第二領域５２が撓みやすい状態になるように釣竿を保持することによって、釣竿の曲げ剛性を変えることができ、一連の釣動作の中（仕掛けを投げる、当たりを取る、魚を取り込む）で釣竿の調子を変更することができる。
したがって、実施形態の釣竿によれば、複数の調子を一つの竿で実現することができるとともに、実釣時に簡単に調子を変更することができる。
なお、第一領域５１の第一方向Ｙと第二領域５２の第二方向Ｘとは、撓む方向が相互に異なっているので、第一領域５１が第一方向Ｙに撓んでいる際には、第二領域５２が第二方向Ｘに撓みにくい。また、同様に、第二領域５２が第二方向Ｘに撓んでいる際には、第一領域５１が第一方向Ｙに撓みにくい。したがって、撓みの方向性をコントロールしやすい。
【００２７】
また、第一領域５１の竿杆１Ｂの形状は、第一方向Ｙに扁平しており、第二領域５２の竿杆１Ｂの形状は、第二方向Ｘに扁平している。このように、竿杆１Ｂを扁平な形状にするという簡単な構成で竿杆１Ｂに撓みの方向性を容易に持たせることができる。
【００２８】
なお、第一領域５１における竿杆１Ｂの厚みは、第一方向Ｙに薄肉になっており、第二領域５２における竿杆１Ｂの厚みは、第二方向Ｘに薄肉になっている。このことからも、竿杆１Ｂに撓みの方向性を容易に持たせることができる。
【００２９】
（第二実施形態）
図３を参照して第二実施形態の釣竿について説明する。本実施形態の釣竿が前記第一実施形態の釣竿と異なるところは、竿杆１Ｂを管状（中空）に構成して、これに第一領域５１および第二領域５２を設けた点にある。図３では、第二実施形態の釣竿について、第一例から第四例を示している。
【００３０】
図３（ａ）は図２（ｂ）に相当する第一例の断面図であり、（ｂ）は図２（ｃ）に相当する第一例の断面図である。
図３（ａ）に示すように、第一領域５１は、上下の外周面が平らに面取りされている。これにより、第一領域５１は、平らな上面５１ａ１と下面５１ｂ１とを備え、上下方向に略扁平な形状となっている。つまり、第一領域５１における竿杆１Ｂの厚みは、左右方向に比べて上下方向が薄肉となっている。これにより、第一領域５１は、竿杆１Ｂの軸心Ｏ１に直交する第一方向Ｙに撓みやすくなっている。
【００３１】
一方、第二領域５２は、図３（ｂ）に示すように、左右の外周面が平らに面取りされている。これにより、第二領域５２は、平らな左面５２ａ１と右面５２ｂ１とを備え、左右方向に略扁平な形状となっている。つまり、第二領域５２における竿杆１Ｂの厚みは、上下方向に比べて左右方向が薄肉となっている。これにより、第二領域５２は、第一方向Ｙに直交し、かつ、竿杆１Ｂの軸心Ｏ１に直交する第二方向Ｘに撓みやすくなっている。
【００３２】
図３（ｃ）は図２（ｂ）に相当する第二例の断面図であり、（ｄ）は図２（ｃ）に相当する第二例の断面図である。
図３（ｃ）（ｄ）に示す第二例は、前記した第一例の変形例である。第二例では、第一領域５１に、湾曲凹状とされた上面５１ａ２と下面５１ｂ２とを備え、第二領域５２に、湾曲凹状とされた左面５２ａ２と右面５２ｂ２とを備えている。これにより、第一領域５１は、竿杆１Ｂの軸心Ｏ１に直交する第一方向Ｙに撓みやすく、また、第二領域５２は、第一方向Ｙに直交し、かつ、竿杆１Ｂの軸心Ｏ１に直交する第二方向Ｘに撓みやすくなっている。
【００３３】
図３（ｅ）は図２（ｂ）に相当する第三例の断面図であり、（ｆ）は図２（ｃ）に相当する第三例の断面図である。
図３（ｅ）に示すように、第一領域５１は、竿杆１Ｂの断面形状が横長楕円形状を呈しており、上下方向に略扁平な形状となっている。これにより、第一領域５１は、竿杆１Ｂの軸心Ｏ１に直交する第一方向Ｙに撓みやすくなっている。
【００３４】
一方、第二領域５２は、図３（ｆ）に示すように、竿杆１Ｂの断面形状が縦長楕円形状を呈しており、左右方向に略扁平な形状となっている。これにより、第二領域５２は、第一方向Ｙに直交し、かつ、竿杆１Ｂの軸心Ｏ１に直交する第二方向Ｘに撓みやすくなっている。
【００３５】
図３（ｇ）は図２（ｂ）に相当する第四例の断面図であり、（ｈ）は図２（ｃ）に相当する第四例の断面図である。
図３（ｇ）に示すように、第一領域５１は、左右の外周面に第一リブ５１ａ３，５１ｂ３が突設されている。これにより、第一領域５１の断面形状は、上下方向に略扁平な形状となっている。つまり、第一領域５１における竿杆１Ｂの厚みは、左右方向に比べて上下方向が薄肉となっている。これにより、第一領域５１は、竿杆１Ｂの軸心Ｏ１に直交する第一方向Ｙに撓みやすくなっている。
【００３６】
一方、第二領域５２は、図３（ｈ）に示すように、上下の外周面に第二リブ５２ａ３，５２ｂ３が突設されている。これにより、第二領域５２の断面形状は、左右方向に略扁平な形状となっている。つまり、第二領域５２における竿杆１Ｂの厚みは、上下方向に比べて左右方向が薄肉となっている。これにより、第二領域５２は、第一方向Ｙに直交し、かつ、竿杆１Ｂの軸心Ｏ１に直交する第二方向Ｘに撓みやすくなっている。
【００３７】
以上説明した第二実施形態の釣竿によれば、前記第一実施形態で説明した作用効果と同様の作用効果が得られる。すなわち、竿先側の第一領域５１が主として撓む先調子の釣竿として用いることができるとともに、竿元側の第二領域５２が主として撓む胴調子の釣竿として用いることができる。つまり、第一領域５１が撓みやすい状態になるように釣竿を保持し、または、第二領域５２が撓みやすい状態になるように釣竿を保持することによって、一連の釣動作の中で釣竿の調子を変更することができる。
したがって、第二実施形態の釣竿によれば、複数の調子を一つの竿で実現することができるとともに、実釣時に簡単に調子を変更することができる。
【００３８】
（第三実施形態）
図４を参照して第三実施形態の釣竿について説明する。本実施形態の釣竿が前記第一，第二実施形態の釣竿と異なるところは、断面角形管状の竿杆１Ｂに対して第一領域５１および第二領域５２を設けた点にある。図４では、第三実施形態の釣竿について、第一例と第二例を示している。
【００３９】
図４（ａ）は図２（ｂ）に相当する第一例の断面図であり、（ｂ）は図２（ｃ）に相当する第一例の断面図である。
図４（ａ）に示すように、第一領域５１は、竿杆１Ｂが断面略横長四角形状を呈している。第一領域５１は、上下方向に略扁平な形状となっている。これにより、第一領域５１は、竿杆１Ｂの軸心Ｏ１に直交する第一方向Ｙに撓みやすくなっている。
【００４０】
一方、第二領域５２は、図４（ｂ）に示すように、竿杆１Ｂが断面略縦長四角形状を呈している。第二領域５２は、左右方向に略扁平な形状となっている。これにより、第二領域５２は、第一方向Ｙに直交し、かつ、竿杆１Ｂの軸心Ｏ１に直交する第二方向Ｘに撓みやすくなっている。
【００４１】
図４（ｃ）は図２（ｂ）に相当する第二例の断面図であり、（ｄ）は図２（ｃ）に相当する第二例の断面図である。
図４（ｃ）（ｄ）に示す第二例は、前記した第一例の変形例である。第二例では、第一領域５１に、角形凸状とされた左面５１ａ４と右面５１ｂ４とを備え、第二領域５２に、角形凸状とされた上面５２ａ４と下面５２ｂ４とを備えている。これにより、第一領域５１は、竿杆１Ｂの軸心Ｏ１に直交する第一方向Ｙに撓みやすく、また、第二領域５２は、第一方向Ｙに直交し、かつ、竿杆１Ｂの軸心Ｏ１に直交する第二方向Ｘに撓みやすくなっている。
【００４２】
以上説明した第三実施形態の釣竿によれば、前記第一，第二実施形態で説明した作用効果と同様の作用効果が得られる。すなわち、竿先側の第一領域５１が主として撓む先調子の釣竿として用いることができるとともに、竿元側の第二領域５２が主として撓む胴調子の釣竿として用いることができる。つまり、第一領域５１が撓みやすい状態になるように釣竿を保持し、または、第二領域５２が撓みやすい状態になるように釣竿を保持することによって、一連の釣動作の中で釣竿の調子を変更することができる。
したがって、第三実施形態の釣竿によれば、複数の調子を一つの竿で実現することができるとともに、実釣時に簡単に調子を変更することができる。
【００４３】
（第四実施形態）
図５を参照して第四実施形態の釣竿について説明する。本実施形態の釣竿が前記第一〜第三実施形態の釣竿と異なるところは、断面管状の竿杆１Ｂの厚みを変更して第一領域５１および第二領域５２を設けた点にある。図５では、第四実施形態の釣竿について、第一例と第二例を示している。
【００４４】
図５（ａ）は図２（ｂ）に相当する第一例の断面図であり、（ｂ）は図２（ｃ）に相当する第一例の断面図である。
図５（ａ）に示すように、第一領域５１は、竿杆１Ｂの左部５１ａ５および右部５１ｂ５の厚みが厚肉に形成されている。つまり、第一領域５１における竿杆１Ｂの厚みは、左右方向に比べて上下方向が薄肉となっている。これにより、第一領域５１は、竿杆１Ｂの軸心Ｏ１に直交する第一方向Ｙに撓みやすくなっている。
【００４５】
一方、第二領域５２は、図５（ｂ）に示すように、竿杆１Ｂの上部５２ａ５および下部５２ｂ５の厚みが厚肉に形成されている。つまり、第二領域５２における竿杆１Ｂの厚みは、上下方向に比べて左右方向が薄肉となっている。これにより、第二領域５２は、第一方向Ｙに直交し、竿杆１Ｂの軸心Ｏ１に直交する第二方向Ｘに撓みやすくなっている。
【００４６】
図５（ｃ）は第二例の図２（ｂ）に相当する断面図であり、（ｄ）は第二例の図２（ｃ）に相当する断面図である。
図５（ｃ）に示すように、第一領域５１は、左右の内周面に第一リブ５１ａ６，５１ｂ６が突設されており、左右方向に厚肉に形成されている。つまり、第一領域５１における竿杆１Ｂの厚みは、左右方向に比べて上下方向が薄肉となっている。これにより、第一領域５１は、竿杆１Ｂの軸心Ｏ１に直交する第一方向Ｙに撓みやすくなっている。
【００４７】
一方、第二領域５２は、図５（ｄ）に示すように、上下の内周面に第二リブ５２ａ６，５２ｂ６が突設されており、上下方向に厚肉に形成されている。つまり、第二領域５２における竿杆１Ｂの厚みは、上下方向に比べて左右方向が薄肉となっている。これにより、第二領域５２は、第一方向Ｙに直交し、かつ、竿杆１Ｂの軸心Ｏ１に直交する第二方向Ｘに撓みやすくなっている。
【００４８】
以上説明した第四実施形態の釣竿によれば、前記第一〜第三実施形態で説明した作用効果と同様の作用効果が得られる。すなわち、竿先側の第一領域５１が主として撓む先調子の釣竿として用いることができるとともに、竿元側の第二領域５２が主として撓む胴調子の釣竿として用いることができる。つまり、第一領域５１が撓みやすい状態になるように釣竿を保持し、または、第二領域５２が撓みやすい状態になるように釣竿を保持することによって、一連の釣動作の中で釣竿の調子を変更することができる。
したがって、第四実施形態の釣竿によれば、複数の調子を一つの竿で実現することができるとともに、実釣時に簡単に調子を変更することができる。
【００４９】
（第五実施形態）
図６を参照して第五実施形態の釣竿について説明する。本実施形態の釣竿が前記第一〜第四実施形態の釣竿と異なるところは、竿杆１Ｂに対して硬質の材料を部分的に用いて第一領域５１および第二領域５２を設けた点にある。図６では、第五実施形態の釣竿について、第一例と第二例を示している。
【００５０】
図６（ａ）は図２（ｂ）に相当する第一例の断面図であり、（ｂ）は図２（ｃ）に相当する第一例の断面図である。
図６（ａ）に示すように、第一領域５１には、樹脂部材（プリプレグ）をベースとして形成された竿杆１Ｂの左右部分に、硬質の材料として金属材料等からなる硬質部５１ａ７，５１ｂ７が一体的に設けられている。つまり、第一領域５１は、樹脂により形成された撓みやすい部分と、これに比べて撓み難い部分となる硬質部５１ａ７，５１ｂ７と、を備えている。これにより、第一領域５１は、樹脂部材が備わる方向となる、竿杆１Ｂの軸心Ｏ１に直交する第一方向Ｙに撓みやすくなっている。
【００５１】
一方、第二領域５２は、図６（ｂ）に示すように、樹脂部材（プリプレグ）をベースとして形成された竿杆１Ｂの上下部分に、硬質の材料として金属材料等からなる硬質部５２ａ７，５２ｂ７が一体的に設けられている。つまり、第二領域５２も同様に、樹脂により形成された撓みやすい部分と、これに比べて撓み難い部分となる硬質部５２ａ７，５２ｂ７と、を備えた構成となっている。これにより、第二領域５２は、樹脂部材が備わる方向となる、第一方向Ｙに直交する方向であり、竿杆１Ｂの軸心Ｏ１に直交する第二方向Ｘに撓みやすくなっている。
【００５２】
図６（ｃ）は図２（ｂ）に相当する第二例の断面図であり、（ｄ）は図２（ｃ）に相当する第二例の断面図である。
図６（ｃ）（ｄ）に示すように、第二例の竿杆１Ｂは、中実ソリッドにて形成されている。第一領域５１では、硬質の材料として金属材料等からなる硬質部５１ａ８を上下方向の中央部に配置している。硬質部５１ａ８の上側および下側には、樹脂部材が配置されている。硬質部５１ａ８は上下方向に略扁平に形成されており、左右方向に比べて上下方向に撓みやすくなっている。これにより、第一領域５１は、竿杆１Ｂの軸心Ｏ１に直交する第一方向Ｙに撓みやすくなっている。
【００５３】
一方、第二領域５２では、硬質の材料として金属材料等からなる硬質部５２ａ８を左右方向の中央部に配置している。硬質部５２ａ８の左側および右側には、樹脂部材が配置されている。硬質部５２ａ８は左右方向に略扁平に形成されており、上下方向に比べて左右方向に撓みやすくなっている。これにより、第二領域５２は、第一方向Ｙに直交し、かつ、竿杆１Ｂの軸心Ｏ１に直交する第二方向Ｘに撓みやすくなっている。
【００５４】
なお、本実施形態では、硬質の材料として金属材料等を用いた例を示したが、これに限られることはなく、例えば、弾性の異なるカーボン繊維（繊維強化樹脂材）を使用して硬い部分（硬い層）と柔らかい部分（柔らかい層）とを形成し、撓みの方向性を持たせてもよい。
【００５５】
以上説明した第五実施形態の釣竿によれば、前記第一〜第四実施形態で説明した作用効果と同様の作用効果が得られる。すなわち、竿先側の第一領域５１が主として撓む先調子の釣竿として用いることができるとともに、竿元側の第二領域５２が主として撓む胴調子の釣竿として用いることができる。つまり、第一領域５１が撓みやすい状態になるように釣竿を保持し、または、第二領域５２が撓みやすい状態になるように釣竿を保持することによって、一連の釣動作の中で釣竿の調子を変更することができる。
したがって、第五実施形態の釣竿によれば、複数の調子を一つの竿で実現することができるとともに、実釣時に簡単に調子を変更することができる。
【００５６】
（第六実施形態）
図７を参照して第六実施形態の釣竿について説明する。本実施形態の釣竿では、穂先側の竿杆１Ｂにおける釣糸ガイド３を下向きに取り付けている。
図７に示すように、第一領域５１および第二領域５２（図７では不図示、第一実施形態等と同様）が形成された竿杆１Ｂでは、釣糸ガイド３が下向きに取り付けられている。一方、竿杆１Ａから竿杆２にかけて、釣糸ガイド３は、竿杆１Ａ，２の軸方向から見ての位置を周方向に順次移動させて螺旋状に配置している。そして、螺旋状に配置した釣糸ガイド３が竿杆２の竿元側に配置された上向きの釣糸ガイド３に連続している。
【００５７】
以上説明した第六実施形態の釣竿によれば、第一領域５１および第二領域５２が形成された竿杆１Ｂの釣糸ガイド３が下向きに取り付けられているので、穂先竿である竿杆１Ｂにねじれ方向の力が加わるのを好適に抑制することができる。したがって、使用時に竿がぶれ難く、安定しやすい。これにより、一連の釣動作の中で竿先側の第一領域５１が主として撓む先調子の釣竿を好適に実現することができるとともに、竿元側の第二領域５２が主として撓む胴調子の釣竿を好適に実現することができる。
【００５８】
以上、実施形態について説明したが、本発明は前記実施形態で説明した例に限定されない。
例えば、各実施形態において第一領域５１および第二領域５２の少なくとも一方の領域は、竿杆１Ｂに複数設けられていてもよい。このようにすることによって、複数箇所にて同じように撓ませることが可能となり、より細かな調子の設定が可能となる。
【００５９】
また、例えば、第一実施形態で説明した第一領域５１の構成と第二実施形態で説明した第二領域５２の構成とを、一つの竿に適用してもよく、各実施形態の各領域を一つの竿に種々組み合わせて竿杆１Ｂを構成してもよい。
【００６０】
また、各領域５１，５２は、竿杆１Ｂに構成されるものに限られることはなく、竿杆１Ａや竿杆２に構成してもよい。また、竿杆１，２の継合わせ部分に設けてもよい。
【００６１】
また、例えば、第一実施形態では、第一領域５１において、面取りを竿杆１Ｂの上面および下面の両方について行ったが、これに限られることはなく、いずれか片方であってもよい。このことは、各実施形態において、撓みの方向性をつけるために行った各構成（厚肉にした構成、第一リブ５１ａ３を設けた構成等）についても、上下両方や左右両方に必ずしも設ける必要はなく、所望の方向に撓みやすくなるものであれば、いずれか片側だけであってもよい。
【００６２】
また、各実施形態において、撓みやすくなる方向は、第一領域５１と第二領域５２とで９０度異なる方向に設定したが、これに限られることはなく、任意の角度に設定することができる。
【００６３】
また、本発明は、ガイド３を有さない釣竿（のべ竿、ガイドの少ないインターライン方式の竿）にも適用することができ、前記した作用効果と同様の作用効果を得ることができる。
【符号の説明】
【００６４】
１，２      竿杆
１Ａ，１Ｂ    竿杆
５１    第一領域
５２    第二領域
５１ａ３      第一リブ
５１ａ６      第一リブ
５２ａ３      第一リブ
５２ａ６      第二リブ
Ｙ      第一方向
Ｘ      第二方向
【図１】
2018050561.tif 000003
【図２】
2018050561.tif 000004
【図３】
2018050561.tif 000005
【図４】
2018050561.tif 000006
【図５】
2018050561.tif 000007
【図６】
2018050561.tif 000008
【図７】
2018050561.tif 000009